(57)【特許請求の範囲】
【請求項１】
無線通信の方法であって、
第１の機器が、第２の機器が送信したネットワークスライス情報を受信し、前記ネットワークスライス情報は、複数のネットワークスライスを示すためのものであるステップと、
前記第１の機器が前記ネットワークスライス情報に基づき、前記複数のネットワークスライスからターゲットネットワークスライスを決定し、前記ターゲットネットワークスライスは、前記第１の機器がサポートする少なくとも１つのネットワークスライスを含むステップと、
前記第１の機器が前記ターゲットネットワークスライスに基づき、無線通信を行うステップと、を含み、
前記第１の機器が端末機器であって、前記第２の機器がネットワーク機器であり、又は、前記第１の機器がネットワーク機器であって、前記第２の機器が端末機器であり、
前記方法は、
前記第１の機器が端末機器である場合、前記第１の機器は初期アクセスプロセスにおいて第１の優先度情報及び第２の優先度情報の中の少なくとも１つを取得し、又は、前記第１の機器がネットワーク機器である場合、前記第１の機器はハンドオーバ開始期間に第１の優先度情報及び第２の優先度情報の中の少なくとも１つを取得し、前記第１の優先度情報は、前記第２の機器がサポートするネットワークスライスを処理する優先順位を示すためのものであり、前記第２の優先度情報は、前記第１の機器がサポートするネットワークスライスを処理する優先順位を示すためのものであるステップをさらに含み、
前記第１の機器が前記ネットワークスライス情報に基づき、前記複数のネットワークスライスからターゲットネットワークスライスを決定するステップは、
前記第１の機器が前記第１の優先度情報及び前記第２の優先度情報の中の少なくとも１つに基づき、前記複数のネットワークスライスから前記ターゲットネットワークスライスを決定するステップを含む
ことを特徴とする無線通信の方法。
【請求項２】
前記ネットワークスライス情報は、前記第１の優先度情報を含み、
前記第１の機器が第１の優先度情報を取得するステップは、
前記第１の機器が前記ネットワークスライス情報から前記第１の優先度情報を取得するステップを含む
ことを特徴とする請求項１に記載の方法。
【請求項３】
前記第１の機器が端末機器であって、前記第２の機器がネットワーク機器であり、
前記第１の機器が前記ターゲットネットワークスライスに基づき、無線通信を行うステップは、
前記端末機器が前記ターゲットネットワークスライスに基づき、前記ネットワーク機器にアクセスするステップ、及び
前記端末機器が前記ターゲットネットワークスライスに基づき、前記ターゲットネットワークスライスを有するセルに常駐するステップ
のうちの少なくとも１つを含む
ことを特徴とする請求項１または２に記載の方法。
【請求項４】
前記第１の機器がネットワーク機器であって、前記第２の機器が端末機器であり、
前記第１の機器が前記ターゲットネットワークスライスに基づき、無線通信を行うステップは、
前記ネットワーク機器が前記ターゲットネットワークスライスに基づき、前記端末機器に対してリソース構成を行うステップ、及び
前記ネットワーク機器が前記ターゲットネットワークスライスに基づき、前記端末機器を前記ターゲットネットワークスライスを有するセルへハンドオーバ又はリダイレクトするステップ
のうちの少なくとも１つを含む
ことを特徴とする請求項１または２に記載の方法。
【請求項５】
前記端末機器が前記ターゲットネットワークスライスに基づき、前記ターゲットネットワークスライスを有するセルに常駐するステップは、
前記端末機器が、前記ネットワーク機器がサポートするネットワークスライスのうち優先度の最も高いネットワークスライスと、前記端末機器がサポートするネットワークスライスのうち優先度の最も高いネットワークスライスとが同じであると決定した場合、前記ターゲットネットワークスライスに基づき、前記ターゲットネットワークスライスを有するセルに常駐するステップを含む
ことを特徴とする請求項３に記載の方法。
【請求項６】
前記ネットワークスライス情報は、前記端末機器が前記複数のネットワークスライスのうちの各ネットワークスライスにアクセスする確率をさらに含み、
前記端末機器が前記ターゲットネットワークスライスに基づき、前記ネットワーク機器にアクセスするステップは、
前記端末機器が、前記ターゲットネットワークスライスにアクセスする確率に基づき、前記ネットワーク機器にアクセスするステップを含む
ことを特徴とする請求項３に記載の方法。
【請求項７】
前記端末機器が、前記ネットワーク機器がサポートするネットワークスライスのうち優先度の最も高いネットワークスライスと、前記端末機器がサポートするネットワークスライスのうち優先度の最も高いネットワークスライスとが同じでないと決定した場合、前記端末機器は再選択により他のネットワーク機器のセルを選択して常駐するステップをさらに含む
ことを特徴とする請求項３に記載の方法。
【請求項８】
前記第１の機器がアクセスネットワーク機器であって、前記第２の機器が端末機器であり、
前記第１の機器が第１の優先度情報を取得するステップは、
前記アクセスネットワーク機器が、前記端末機器が送信したコアネットワーク機器により認証された前記第１の優先度情報を受信するステップを含む
ことを特徴とする請求項１又は２に記載の方法。
【請求項９】
前記第１の機器がアクセスネットワーク機器であって、前記第２の機器が端末機器であり、
前記アクセスネットワーク機器は、前記第１の優先度情報が認証される必要があると決定した場合、前記第１の優先度情報をコアネットワーク機器に送信するステップと、
前記アクセスネットワーク機器は、前記コアネットワーク機器が送信した前記優先度情報の確認メッセージを受信するステップと、をさらに含む
ことを特徴とする請求項１又は２に記載の方法。
【請求項１０】
前記端末機器はアクセス層又は非アクセス層のシグナリングを介して優先度情報をコアネットワーク機器に送信し、コアネットワーク機器は検証及び確認を完了した後、アクセスネットワーク機器にフィードバックし、
前記端末機器は、直接に前記アクセス層を介して優先度情報をアクセスネットワーク機器に送信し、アクセスネットワーク機器は、必要に応じて、コアネットワーク機器に転送して検証及び確認を行わせる
ことを特徴とする請求項９に記載の方法。
【請求項１１】
第１の機器であって、
第２の機器が送信したネットワークスライス情報を受信するために使用され、前記ネットワークスライス情報は、複数のネットワークスライスを示すためのものである受信ユニットと、
前記ネットワークスライス情報に基づき、前記複数のネットワークスライスからターゲットネットワークスライスを決定するように構成され、前記ターゲットネットワークスライスは、前記第１の機器がサポートする少なくとも１つのネットワークスライスを含む決定ユニットと、
前記ターゲットネットワークスライスに基づき、無線通信を行うように構成される通信ユニットと、を備え、
前記第１の機器が端末機器であって、前記第２の機器がネットワーク機器であり、又は、前記第１の機器がネットワーク機器であって、前記第２の機器が端末機器であり、
前記第１の機器が端末機器である場合、前記第１の機器は初期アクセスプロセスにおいて第１の優先度情報及び第２の優先度情報の中の少なくとも１つを取得し、又は、前記第１の機器がネットワーク機器である場合、前記第１の機器はハンドオーバ開始期間に第１の優先度情報及び第２の優先度情報の中の少なくとも１つを取得し、前記第１の優先度情報は、前記第２の機器がサポートするネットワークスライスを処理する優先順位を示すためのものであり、前記第２の優先度情報は、前記第１の機器がサポートするネットワークスライスを処理する優先順位を示すためのものである取得ユニットをさらに備え、
前記決定ユニットは、具体的に、
前記第１の機器が前記第１の優先度情報及び前記第２の優先度情報の中の少なくとも１つに基づき、前記複数のネットワークスライスから前記ターゲットネットワークスライスを決定するように構成される
ことを特徴とする無線通信の機器。
【請求項１２】
前記ネットワークスライス情報は、前記第１の優先度情報を含み、
前記取得ユニットが第１の優先度情報を取得することは、
前記ネットワークスライス情報から前記第１の優先度情報を取得することを含む
ことを特徴とする請求項１１に記載の機器。
【請求項１３】
前記第１の機器が端末機器であって、前記第２の機器がネットワーク機器であり、
前記通信ユニットは、具体的に、
前記ターゲットネットワークスライスに基づき、前記ネットワーク機器にアクセスする、及び／又は
前記ターゲットネットワークスライスに基づき、前記ターゲットネットワークスライスが属するセルに常駐するように構成される
ことを特徴とする請求項１１または１２に記載の機器。
【請求項１４】
前記第１の機器がネットワーク機器であって、前記第２の機器が端末機器であり、
前記通信ユニットは、具体的に、
前記ターゲットネットワークスライスに基づき、前記端末機器に対してリソース構成を行う、及び／又は
前記ターゲットネットワークスライスに基づき、前記端末機器を前記ターゲットネットワークスライスが属するセルへハンドオーバ又はリダイレクトするように構成される
ことを特徴とする請求項１１または１２に記載の機器。
【請求項１５】
前記通信ユニットが前記ターゲットネットワークスライスに基づき、前記ターゲットネットワークスライスが属するセルに常駐することは、
前記ネットワーク機器が処理する前記複数のネットワークスライスのうち優先度の最も高いネットワークスライスと、前記端末機器が処理する前記少なくとも１つのネットワークスライスのうち優先度の最も高いネットワークスライスとが同じであると決定した場合、前記ターゲットネットワークスライスに基づき、前記ターゲットネットワークスライスが属するセルに常駐することを含む
ことを特徴とする請求項１３に記載の機器。
【請求項１６】
前記ネットワークスライス情報は、前記端末機器が前記複数のネットワークスライスのうちの各ネットワークスライスにアクセスする確率をさらに含み、
前記通信ユニットが前記ターゲットネットワークスライスに基づき、前記ネットワーク機器にアクセスすることは、
前記端末機器のトラフィックが前記ターゲットネットワークスライスにアクセスする確率に基づき、前記ネットワーク機器にアクセスすることを含む
ことを特徴とする請求項１３に記載の機器。
【請求項１７】
前記第１の機器がアクセスネットワーク機器であって、前記第２の機器が端末機器であり、
前記取得ユニットが第１の優先度情報を取得することは、
前記端末機器が送信したコアネットワーク機器により認証された前記第１の優先度情報を受信することを含む
ことを特徴とする請求項１１又は１２に記載の機器。
【請求項１８】
前記第１の機器がアクセスネットワーク機器であって、前記第２の機器が端末機器であり、
前記第１の優先度情報が認証される必要があると決定した場合、前記第１の優先度情報をコアネットワーク機器に送信するように構成される送信ユニットをさらに備え、
前記受信ユニットは、また、
前記コアネットワーク機器が送信した前記優先度情報の確認メッセージを受信するように構成される
ことを特徴とする請求項１１又は１２に記載の機器。
【発明の詳細な説明】
【技術分野】
【０００１】
本発明は、通信分野に関し、特に無線通信の方法、端末機器及びネットワーク機器に関する。
【背景技術】
【０００２】
無線ネットワーク通信技術の発展に伴い、無線通信のトラフィック要求も徐々に増加しており、多様化の傾向を示している。従来の無線通信システムでは、通常の人と人との間の音声とデータトラフィックに加えて、モノのインターネットトラフィックも徐々に無線通信トラフィックの不可分の一部となっている。将来的には、モノのインターネットとインダストリアルインターネットの発展に伴い、ますます多くの多様化の端末がネットワークにアクセスされ、アクセスネットワークの一部又は全部の能力とリソースを使用してそれにサービスを提供し、従って、無線ネットワーク通信技術の研究において、研究者たちは、ネットワークスライシング（Ｎｅｔｗｏｒｋ  Ｓｌｉｃｉｎｇ）の概念を導入しており、即ち、ネットワーク（コアネットワークとアクセスネットワークを含む）機能をモジュール化することにより、不同な端末が不同なトラフィック要求時にカスタマイズのネットワーク機能を使用するようにし、これにより、対応する端末のトラフィック要求をよりよく満たすことができる。
【０００３】
なお、上記背景技術に開示された情報は、本開示の背景の理解を深めるためのものであり、当業者に知られている先行技術を構成しない情報を含むことがある。
【発明の概要】
【発明が解決しようとする課題】
【０００４】
これに鑑みて、本発明の実施例は、無線通信の品質を向上できる無線通信の方法、端末機器及びネットワーク機器を提供する。
【課題を解決するための手段】
【０００５】
第１の態様によれば、無線通信の方法が提供され、この方法は、第１の機器が、第２の機器が送信したネットワークスライス情報を受信し、このネットワークスライス情報は、複数のネットワークスライスを示すためのものであるステップと、この第１の機器がこのネットワークスライス情報に基づき、この複数のネットワークスライスからターゲットネットワークスライスを決定し、このターゲットネットワークスライスは、この第１の機器がサポートする少なくとも１つのネットワークスライスを含むステップと、この第１の機器がこのターゲットネットワークスライスに基づき、無線通信を行うステップと、を含む。
【０００６】
相手端のネットワークスライス情報を把握することにより、相手端により送信された複数のネットワークスライスの状況を把握でき、これにより、ターゲットネットワークスライスをよりよく選択して無線通信を行うことができ、さらに無線通信の品質を向上できる。
【０００７】
選択的に、第１の機器が端末機器であって、第２の機器がネットワーク機器である場合、このネットワークスライス情報は、ネットワーク機器がサポートする複数のネットワークスライスを示すために使用され、ターゲットネットワークスライスは、第１の端末機器がサポートするものでもあるし、第２の機器がサポートするものでもあり、端末機器とネットワーク機器との間の無線通信品質を向上できる。
【０００８】
選択的に、第１の機器がネットワーク機器であって、第２の機器が端末機器である場合、このネットワークスライス情報は、端末機器がサポートする複数のネットワークスライスを示すために使用され、ネットワーク機器は、端末機器がサポートする複数のネットワークスライスを把握することにより、端末機器のために対応するリソースをよりよく選択できる。
【０００９】
一可能な実現形態では、この方法は、この第１の機器が第１の優先度情報及び／又は第２の優先度情報を取得し、この第１の優先度情報は、この第２の機器がこの複数のネットワークスライスのうちこの第２の機器がサポートするネットワークスライスを処理する優先順位を示すためのものであり、この第２の優先度情報は、この第１の機器がこの第１の機器がサポートするネットワークスライスを処理する優先順位を示すためのものであるステップをさらに含み、この第１の機器がこのネットワークスライス情報に基づき、この複数のネットワークスライスからターゲットネットワークスライスを決定するステップは、この第１の機器がこの第１の優先度情報及び／又はこの第２の優先度情報に基づき、この複数のネットワークスライスからこのターゲットネットワークスライスを決定するステップを含む。
【００１０】
選択的に、第１の機器は、通信機器両端がそれぞれ処理するネットワークスライスのうち優先度の最も高いネットワークスライスを選択して通信を行うことができる。
【００１１】
第１の優先度情報及び／又は第２の優先度情報に基づき、ターゲットネットワークスライスを選択することにより、機器両端の間の無線通信品質をさらに向上できる。
【００１２】
一可能な実現形態では、このネットワークスライス情報は、この第１の優先度情報を含み、この第１の機器が第１の優先度情報を取得するステップは、この第１の機器がこのネットワークスライス情報からこの第１の優先度情報を取得するステップを含む。
【００１３】
一可能な実現形態では、この第１の機器が端末機器であって、この第２の機器がネットワーク機器であり、この第１の機器がこのターゲットネットワークスライスに基づき、無線通信を行うステップは、この端末機器がこのターゲットネットワークスライスに基づき、このネットワーク機器にアクセスするステップ、及び／又はこの端末機器がこのターゲットネットワークスライスに基づき、このターゲットネットワークスライスが属するセルに常駐するステップを含む。
【００１４】
端末機器がネットワーク機器のネットワークスライス情報を把握することにより、端末機器は最適なアクセスポイントを選択してアクセスを行うことができ、また、よりマッチングされた常駐セルを選択でき、さらに端末ユーザの体験を向上できる。
【００１５】
選択的に、この第１の機器がネットワーク機器であって、この第２の機器が端末機器であり、この第１の機器がこのターゲットネットワークスライスに基づき、無線通信を行うステップは、このネットワーク機器がこのターゲットネットワークスライスに基づき、この端末機器に対してリソース構成を行うステップ、及び／又はこのネットワーク機器がこのターゲットネットワークスライスに基づき、この端末機器をこのターゲットネットワークスライスが属するセルへハンドオーバ又はリダイレクトするステップを含む。
【００１６】
ネットワーク機器が端末機器のネットワークスライス情報を把握することにより、ネットワーク機器は端末機器のために対応するリソースをよりよく選択できる。
【００１７】
一可能な実現形態では、この端末機器がこのターゲットネットワークスライスに基づき、このターゲットネットワークスライスが属するセルに常駐するステップは、この端末機器が、このネットワーク機器が処理するこのネットワーク機器がサポートするネットワークスライスのうち優先度の最も高いネットワークスライスと、この端末機器が処理するこの端末機器がサポートするネットワークスライスのうち優先度の最も高いネットワークスライスとが同じであると決定した場合、このターゲットネットワークスライスに基づき、このターゲットネットワークスライスが属するセルに常駐するステップを含む。
【００１８】
選択的に、端末機器が、ネットワーク機器がサポートするネットワークスライスのうち優先度の最も高いネットワークスライスと、端末機器がサポートするネットワークスライスのうち優先度の最も高いネットワークスライスとが同じでないと決定した場合、端末機器は、再選択の方式により他のネットワーク機器のセルを選択して常駐する。
【００１９】
一可能な実現形態では、このネットワークスライス情報は、この端末機器がこの複数のネットワークスライスのうちの各ネットワークスライスにアクセスする確率をさらに含み、この端末機器がこのターゲットネットワークスライスに基づき、このネットワーク機器にアクセスするステップは、この端末機器が、この端末機器のトラフィックがこのターゲットネットワークスライスにアクセスする確率に基づき、このネットワーク機器にアクセスするステップを含む。
【００２０】
一可能な実現形態では、この第１の機器がアクセスネットワーク機器であって、この第２の機器が端末機器であり、この第１の機器が第１の優先度情報を取得するステップは、このアクセスネットワーク機器が、この端末機器が送信したコアネットワーク機器により認証されたこの第１の優先度情報を受信するステップを含む。
【００２１】
一可能な実現形態では、この第１の機器がアクセスネットワーク機器であって、この第２の機器が端末機器であり、この方法は、このアクセスネットワーク機器が、この第１の優先度情報が認証される必要があると決定した場合、この第１の優先度情報をコアネットワーク機器に送信するステップと、このアクセスネットワーク機器が、このコアネットワーク機器が送信したこの優先度情報の確認メッセージを受信するステップと、をさらに含む。
【００２２】
選択的に、端末機器はアクセス層又は非アクセス層のシグナリングを介して優先度情報をコアネットワーク機器に送信し、コアネットワーク機器は検証及び確認を完了した後、アクセスネットワーク機器にフィードバックする。
【００２３】
選択的に、端末機器は、直接にアクセス層を介して優先度情報をアクセスネットワーク機器に送信し、アクセスネットワーク機器は、必要に応じて、コアネットワーク機器に転送して検証及び確認を行わせる。
【００２４】
第２の態様によれば、無線通信の方法が提供され、この方法は、第２の機器がネットワークスライス情報を決定し、このネットワークスライス情報は、複数のネットワークスライスを示すためのものであるステップと、この第２の機器が第１の機器にこのネットワークスライス情報を送信するステップと、を含む。
【００２５】
一可能な実現形態では、この方法は、この第２の機器がこの第１の機器に第１の優先度情報を送信し、この第１の優先度情報は、この第２の機器がこの複数のネットワークスライスのうちこの第２の機器がサポートするネットワークスライスを処理する優先順位を示すためのものであるステップをさらに含む。
【００２６】
一可能な実現形態では、この第２の機器が端末機器であって、この第１の機器がネットワーク機器であり、この方法は、この端末機器がこの端末機器のトラフィック要求に基づき、この第１の優先度情報を更新するステップをさらに含む。
【００２７】
端末機器のトラフィック要求に基づき、最適なネットワークスライスを柔軟に選択でき、これにより、無線通信品質をさらに向上できる。
【００２８】
一可能な実現形態では、この第２の機器が端末機器であって、この第１の機器がアクセスネットワーク機器であり、この第２の機器がこの第１の機器に第１の優先度情報を送信するステップは、この端末機器がこのアクセスネットワーク機器にコアネットワーク機器により認証されたこの第１の優先度情報を送信するステップを含む。
【００２９】
第３の態様によれば、上記の第１の態様又は第１の態様の任意の可能な実現形態に係る方法を実行するための機器が提供される。具体的に、この機器は、上記の第１の態様又は第１の態様の任意の可能な実現形態に係る方法を実行するためのユニットを備える。
【００３０】
第４の態様によれば、上記の第２の態様又は第２の態様の任意の可能な実現形態に係る方法を実行するための機器が提供される。具体的に、この機器は、上記の第２の態様又は第２の態様の任意の可能な実現形態に係る方法を実行するためのユニットを備える。
【００３１】
第５の態様によれば、機器が提供され、この機器は、メモリ、プロセッサー、送受信機、通信インターフェース及びバスシステムを備える。ここで、メモリ、プロセッサー及び送受信機はバスシステムを介して互いに接続され、このメモリは命令を記憶するために使用され、このプロセッサーはこのメモリに記憶された命令を実行するために使用され、この命令が実行されるときに、このプロセッサーが第１の態様に係る方法を実行し、送受信機が入力されたデータ及び情報を受信し、動作結果等のデータを出力するように制御する。
【００３２】
第６の態様によれば、機器が提供され、この機器は、メモリ、プロセッサー、送受信機、通信インターフェース及びバスシステムを備える。ここで、メモリ、プロセッサー及び送受信機はバスシステムを介して互いに接続され、このメモリは命令を記憶するために使用され、このプロセッサーはこのメモリに記憶された命令を実行するために使用され、この命令が実行されるときに、このプロセッサーが第２の態様に係る方法を実行し、送受信機が入力されたデータ及び情報を受信し、動作結果等のデータを出力するように制御する。
【００３３】
第７の態様によれば、上記の方法のために使用されるコンピュータソフトウェア命令を記憶するためのコンピュータ記録媒体が提供され、上記の態様を実行するために設計されたプログラムが含まれる。
【００３４】
本発明において、端末機器、アクセスネットワーク機器及びコアネットワーク機器の名称は、機器自体に対して限定を構成せず、実際の実現において、これらの機器は他の名称で示されてもよい。各機器の機能が本発明と同様である限り、本発明の特許請求の範囲及びその同等な技術的範囲内に含まれる。
【００３５】
本発明のこれらの態様又は他の態様は、以下の実施例の説明においてさらに分かりやすくなるであろう。
【図面の簡単な説明】
【００３６】
【図１】本発明の実施例に係る１つの可能な応用シーンを示す模式図である。
【図２】本発明の実施例に係る無線通信の方法を示すフローチャートである。
【図３】本発明の実施例に係る無線通信の方法を示す概略ブロック図である。
【図４】本発明の実施例に係る無線通信の方法を示す別の概略ブロック図である。
【図５】本発明の実施例に係る無線通信の機器を示す概略ブロック図である。
【図６】本発明の実施例に係る無線通信の機器を示す別の概略ブロック図である。
【図７】本発明の実施例に係る無線通信の機器を示すさらに別の概略ブロック図である。
【図８】本発明の実施例に係る無線通信の機器を示すさらに別の概略ブロック図である。
【発明を実施するための形態】
【００３７】
以下は、本発明の実施例に係る図面を参考しながら、本発明の実施例に係る技術手段をより明確且つ完全に説明する。
【００３８】
本発明の実施例に係る技術手段は、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、単に「ＧＳＭ」と称する）システム、符号分割多元接続（Ｃｏｄｅ  Ｄｉｖｉｓｉｏｎ  Ｍｕｌｔｉｐｌｅ  Ａｃｃｅｓｓ、単に「ＣＤＭＡ」と称する）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、単に「ＷＣＤＭＡ」と称する）システム、汎用パケット無線サービス（Ｇｅｎｅｒａｌ  Ｐａｃｋｅｔ  Ｒａｄｉｏ  Ｓｅｒｖｉｃｅ、単に「ＧＰＲＳ」と称する）、ロングタームエボリューション（Ｌｏｎｇ  Ｔｅｒｍ  Ｅｖｏｌｕｔｉｏｎ、単に「ＬＴＥ」と称する）システム、ＬＴＥ周波数分割複信（Ｆｒｅｑｕｅｎｃｙ  Ｄｉｖｉｓｉｏｎ  Ｄｕｐｌｅｘ、単に「ＦＤＤ」と称する）システム、ＬＴＥ時分割複信（Ｔｉｍｅ  Ｄｉｖｉｓｉｏｎ  Ｄｕｐｌｅｘ、単に「ＴＤＤ」と称する）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、単に「ＵＭＴＳ」と称する）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、単に「ＷｉＭＡＸ」と称する）通信システム又は未来の５Ｇシステム等のような様々な通信システムに適用されることが理解されるべきである。
【００３９】
特に、本発明の実施例に係る技術手段は、散在符号多元接続（Ｓｐａｒｓｅ  Ｃｏｄｅ  Ｍｕｌｔｉｐｌｅ  Ａｃｃｅｓｓ、単に「ＳＣＭＡ」と称する）システム、低密度シグネチャ（Ｌｏｗ  Ｄｅｎｓｉｔｙ  Ｓｉｇｎａｔｕｒｅ、単に「ＬＤＳ」と称する）システム等のような様々な非直交多元接続技術に基づく通信システムに適用され、もちろん、ＳＣＭＡシステム及びＬＤＳシステムは通信分野において他の名称と称されてもよく、さらに、本発明の実施例に係る技術手段は、非直交多元接続技術を採用した直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、単に「ＯＦＤＭ」と称する）、フィルターバンクマルチキャリア（Ｆｉｌｔｅｒ  Ｂａｎｋ  Ｍｕｌｔｉ−Ｃａｒｒｉｅｒ、単に「ＦＢＭＣ」と称する）、一般的な周波数分割多重化（Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ、単に「ＧＦＤＭ」と称する）、フィルタリング直交周波数分割多重化方式（Ｆｉｌｔｅｒｅｄ−ＯＦＤＭ、単に「Ｆ−ＯＦＤＭ」と称する）システム等のような非直交多元接続技術を採用したマルチキャリア伝送システムに適用される。
【００４０】
本発明の実施例に係る端末機器は、ユーザ機器（Ｕｓｅｒ  Ｅｑｕｉｐｍｅｎｔ，ＵＥ）、アクセス端末、ユーザユニット、ユーザ局、移動局、モバイルステーション、遠隔局、遠隔端末、モバイル機器、ユーザ端末、端末、無線通信機器、ユーザエージェント又はユーザ装置を指してもよい。アクセス端末は、携帯電話、コードレス電話、セッション確立プロトコル（Ｓｅｓｓｉｏｎ  Ｉｎｉｔｉａｔｉｏｎ  Ｐｒｏｔｏｃｏｌ，ＳＩＰ）電話、ワイヤレスローカルループ（Ｗｉｒｅｌｅｓｓ  Ｌｏｃａｌ  Ｌｏｏｐ，ＷＬＬ）局、携帯情報端末（Ｐｅｒｓｏｎａｌ  Ｄｉｇｉｔａｌ  Ａｓｓｉｓｔａｎｔ，ＰＤＡ）、無線通信機能のあるハンドヘルド機器、計算機器又は無線モデムに接続する他の処理機器、車載機器、ウェアラブル機器及び未来５Ｇネットワークにおける端末機器又は未来進化の公衆陸上移動通信ネットワーク（Ｐｕｂｌｉｃ  Ｌａｎｄ  Ｍｏｂｉｌｅ  Ｎｅｔｗｏｒｋ，ＰＬＭＮ）における端末機器等であってもよく、本発明の実施例では限定をしない。
【００４１】
本発明の実施例に係るネットワーク機器は、端末機器と通信するために使用される機器であってもよく、このネットワーク機器は、ＧＳＭ又はＣＤＭＡにおける基地局（Ｂａｓｅ  Ｔｒａｎｓｃｅｉｖｅｒ  Ｓｔａｔｉｏｎ，ＢＴＳ）であってもよいが、ＷＣＤＭＡシステムにおける基地局（ＮｏｄｅＢ，ＮＢ）であってもよく、また、ＬＴＥシステムにおける進化型基地局（Ｅｖｏｌｕｔｉｏｎａｌ  Ｎｏｄｅ  Ｂ，ｅＮＢ又はｅＮｏｄｅＢ）であってもよいが、クラウド無線アクセスネットワーク（Ｃｌｏｕｄ  Ｒａｄｉｏ  Ａｃｃｅｓｓ  Ｎｅｔｗｏｒｋ，ＣＲＡＮ）シナリオでのワイヤレスコントローラであってもよく、又はこのネットワーク機器は、中継局、アクセスポイント、車載機器、ウェアラブル機器、及び未来５Ｇネットワークにおけるネットワーク機器又は未来進化のＰＬＭＮネットワークにおけるネットワーク機器等であってもよく、本発明の実施例では限定をしない。
【００４２】
図１は、本発明の実施例に係る１つの応用シーンを示す模式図である。図１に係る通信システムは、端末機器１０及びネットワーク機器２０を備えてもよい。ネットワーク機器２０は、端末機器１０に対して通信サービスを提供し、コアネットワークにアクセスするように構成され、端末機器１０は、ネットワーク機器２０が送信した同期信号、ブロードキャスト信号等を探索することによりネットワークにアクセスし、これにより、ネットワークとの通信を行う。図１に示す矢印は、端末機器１０とネットワーク機器２０との間のセルラーリンクを介して行われる上り／下り伝送を表してもよい。ここで、ネットワーク機器２０は、Ｓｌｉｃｅ  １、Ｓｌｉｃｅ  ２及びＳｌｉｃｅ  ３をサポートし、端末機器１０は、Ｓｌｉｃｅ  １、Ｓｌｉｃｅ  ２及びＳｌｉｃｅ  ４をサポートする。
【００４３】
ここで、スライスＳｌｉｃｅは、１つのネットワーク機能（コアネットワーク機能及び／又はアクセスネットワーク機能を含む）グループの集合を指しており、同様の機能のある他の説明はいずれも同等の効果が奏される。
【００４４】
未来のネットワークスライスは、論理的に、各ネットワークスライスは、何らかの端末機器の１種のトラフィック要求を代表し、ネットワーク機器は、端末機器のトラフィック要求に従って対応するネットワーク機能を選択してトラフィックとマッチングを行い、対応するスライスを形成する。
【００４５】
最も理想的な方式は、ネットワーク機器が端末機器のトラフィック要求に基づき、コアネットワーク機器及び／又はアクセスネットワーク機器の機能を動的に組み合わせてから、端末機器に設定する方式である。例えば、物理ネットワーク端末機器に対してパケット送信を行う必要がある場合、ネットワークに対してランダムアクセス機能、復旧機能を設定又は活性化する必要があり、ライセンススペクトラム補助アクセス（Ｌｉｃｅｎｓｅｄ−Ａｓｓｉｓｔｅｄ  Ａｃｃｅｓｓ，ＬＡＡ）をサポートする端末機器に対して、必要があれば、ネットワークに対してＬＡＡ機能を設定又は活性化できる。しかしながら、このような方式によれば、ネットワーク構成の複雑度が比較的高く、実現が非常に煩雑である。簡略化した手段は、ネットワーク機器が向けている端末タイプ及びトラフィックタイプに従って、それとマッチングするように複数のスライスを事前に形成して、端末機器が対応するスライスを使用する必要がある場合、要求をネットワーク機器に送信してから、ネットワーク機器により対応するスライス要求に従ってリソースを端末機器に設定することである。
【００４６】
ネットワーク構成プロセスでは、様々なネットワークスライスを同時にサポートすることができるが、リソースが制限される条件で、不同なＳｌｉｃｅをサポートする端末の常駐及びアクセスを如何に処理するかの問題を解決する必要があり、それとともに、端末機器が様々なネットワークスライスを同時にサポートすることがあり、この場合、端末もどちらのネットワークスライスを使用して常駐及びアクセスを行うかを選択し、また、ネットワーク機器が不同なネットワークスライスに対する自身の考え方を把握するようにして、ネットワーク機器が自身のために対応するリソースをよりよく選択するようにさせる必要がある。
【００４７】
説明の便宜上、まず図２に関連して、本発明の実施例に係る無線通信の方法１００のフローを簡単に説明する。図２に示すように、この方法１００は、下記のステップを含む。
【００４８】
Ｓ１０１：機器１がネットワークスライス情報を決定し、前記ネットワークスライス情報は、複数のネットワークスライスを示すためのものである。
【００４９】
Ｓ１０２：機器１が機器２にネットワークスライス情報を送信する。
【００５０】
Ｓ１０３：機器２が、機器１が送信したネットワークスライス情報を受信する。
【００５１】
Ｓ１０４：機器１がこのネットワークスライス情報に基づき、複数のネットワークスライスから機器２がサポートする少なくとも１つのネットワークスライスを決定する。
【００５２】
Ｓ１０５：機器１がＳ１０３で決定された少なくとも１つのネットワークスライスからターゲットネットワークスライスを決定する。
【００５３】
Ｓ１０６：機器１がターゲットネットワークスライスに基づき、構成又は動作を行う。
【００５４】
なお、ここで、機器１は、端末機器であってもよいが、ネットワーク機器であってもよく、機器２は、端末機器であってもよいが、ネットワーク機器であってもよい。説明の便宜上、以下は、いずれも端末機器とネットワーク機器との間のインタラクションを例として説明する。
【００５５】
ここで、ネットワークスライス情報は、各ネットワークスライスがサポートする機能、各ネットワークスライスが属するセル、端末機器が各ネットワークスライスにアクセスする確率、各ネットワークスライスの識別子、及び複数のネットワークスライスの優先度等のような複数のネットワークスライスのスライス情報を含んでもよい。ここで、ネットワークスライス情報は、機器１がサポートする複数のネットワークスライスを示すためのものであってもよく、他の機器がサポートするネットワークスライスを含んでもよい。例えば、ネットワーク機器１は、端末機器にネットワーク機器１がサポートする複数のネットワークスライスを送信してもよく、隣接するネットワーク機器がサポートするネットワークスライスを送信してもよく、これにより、端末機器が再選択を行うことを容易にする。
【００５６】
ここで、構成又は動作は、端末機器がセルに常駐する、端末機器がネットワーク機器にアクセスする、又は端末機器がセルをハンドオーバする等の端末機器又はネットワーク機器の行動であってもよい。
【００５７】
ここで、ターゲットネットワークスライスは、１つ又は複数のネットワークスライスであってもよい。
【００５８】
したがって、本発明の実施例に係る無線通信の方法は、相手端のネットワークスライス情報を把握することにより、相手端により送信された複数のネットワークスライスの状況を把握でき、これにより、ターゲットネットワークスライスをよりよく選択して無線通信を行うことができ、さらに無線通信の品質を向上できる。
【００５９】
以下、図３及び図４に関連して、通信機器両端それぞれの側から本発明の実施例に係る無線通信の方法をそれぞれ説明する。
【００６０】
図３は、本発明の実施例に係る無線通信の方法２００を示す概略ブロック図である。図３に示すように、この方法２００は、下記のステップを含む。
【００６１】
Ｓ２１０：第１の機器が、第２の機器が送信したネットワークスライス情報を受信し、前記ネットワークスライス情報は、複数のネットワークスライスを示すためのものである。
【００６２】
Ｓ２２０：前記第１の機器が前記ネットワークスライス情報に基づき、前記複数のネットワークスライスからターゲットネットワークスライスを決定し、前記ターゲットネットワークスライスは、前記第１の機器がサポートする少なくとも１つのネットワークスライスを含む。
【００６３】
Ｓ２３０：前記第１の機器が前記ターゲットネットワークスライスに基づき、無線通信を行う。
【００６４】
ここで、第１の機器が無線通信を行う際に、第２の機器と通信を行ってもよいが、第２の機器以外の他の機器と通信を行ってもよく、例えば、このネットワークスライス情報に他の機器がサポートするネットワークスライスの情報が含まれており、第１の機器はターゲットネットワークスライスを選択して他の機器と無線通信を行うことができることが理解されるべきである。
【００６５】
一実施例では、第１の機器が端末機器であって、第２の機器がネットワーク機器であり、ネットワーク機器は、複数の端末機器に複数のネットワークスライスのスライス情報をブロードキャストでき、端末機器が、ネットワーク機器が送信した複数のネットワークスライスのスライス情報を受信した後、端末機器は、複数のネットワークスライスから自身がサポートする少なくとも１つのネットワークスライスを選択し、それから、端末機器は、選択された少なくとも１つのネットワークスライスからターゲットネットワークスライスを決定し、これにより、ターゲットネットワークスライスに基づいてネットワーク機器にアクセスし、又はターゲットネットワークスライスが属するセルに常駐する。例えば、端末機器が受信したネットワークスライス情報がＳｌｉｃｅ１、Ｓｌｉｃｅ２、Ｓｌｉｃｅ３、Ｓｌｉｃｅ４及びＳｌｉｃｅ５のスライス情報を含むが、端末機器がＳｌｉｃｅ１、Ｓｌｉｃｅ２及びＳｌｉｃｅ６をサポートする場合、端末機器が選択した少なくとも１つのネットワークスライスは、Ｓｌｉｃｅ１及びＳｌｉｃｅ２であってもよく、端末機器がＳｌｉｃｅ１を処理する優先度がＳｌｉｃｅ２を処理する優先度より高い場合、端末機器は、Ｓｌｉｃｅ１及びＳｌｉｃｅ２からＳｌｉｃｅ１を選択してターゲットネットワークスライスとする。
【００６６】
別の実施例では、第１の機器がネットワーク機器であって、第２の機器が端末機器であり、端末機器は、ネットワーク機器に複数のネットワークスライスのスライス情報をでき、ネットワーク機器が、端末機器が送信した複数のネットワークスライスのスライス情報を受信した後、ネットワーク機器は、複数のネットワークスライスから自身がサポートする少なくとも１つのネットワークスライスを選択し、それから、ネットワーク機器は、選択された少なくとも１つのネットワークスライスからターゲットネットワークスライスを決定し、これにより、ターゲットネットワークスライスに基づいて端末機器に対して構成し、又は端末機器のためにハンドオーバ又はリダイレクトするセルを選択する。例えば、ネットワーク機器が受信したネットワークスライス情報がＳｌｉｃｅ１、Ｓｌｉｃｅ２、Ｓｌｉｃｅ３、Ｓｌｉｃｅ４及びＳｌｉｃｅ５のスライス情報を含むが、ネットワーク機器がＳｌｉｃｅ１、Ｓｌｉｃｅ２及びＳｌｉｃｅ６をサポートする場合、ネットワーク機器が選択した少なくとも１つのネットワークスライスは、Ｓｌｉｃｅ１及びＳｌｉｃｅ２であってもよく、ネットワーク機器がＳｌｉｃｅ１を処理する優先度がＳｌｉｃｅ２を処理する優先度より高い場合、ネットワーク機器は、Ｓｌｉｃｅ１及びＳｌｉｃｅ２からＳｌｉｃｅ１を選択してターゲットネットワークスライスとする。
【００６７】
選択的に、本発明の実施例では、前記方法は、この第１の機器が第１の優先度情報及び／又は第２の優先度情報を取得するステップをさらに含み、この第１の優先度情報は、この第２の機器がこの複数のネットワークスライスのうちこの第２の機器がサポートするネットワークスライスを処理する優先順位を示すためのものであり、この第２の優先度情報は、この第１の機器がこの第１の機器がサポートするネットワークスライスを処理する優先順位を示すためのものであり、この第１の機器がこのネットワークスライス情報に基づき、この複数のネットワークスライスからターゲットネットワークスライスを決定ステップは、この第１の機器がこの第１の優先度情報及び／又はこの第２の優先度情報に基づき、この複数のネットワークスライスからこのターゲットネットワークスライスを決定するステップを含む。
【００６８】
例えば、ネットワーク機器が端末機器にＳｌｉｃｅ１、Ｓｌｉｃｅ２、Ｓｌｉｃｅ３、Ｓｌｉｃｅ４及びＳｌｉｃｅ５の５つのネットワーク機器がサポートするネットワークスライスの優先度情報を送信し、Ｓｌｉｃｅ１＞Ｓｌｉｃｅ２＞Ｓｌｉｃｅ３＞Ｓｌｉｃｅ４＞Ｓｌｉｃｅ５であって、端末機器がＳｌｉｃｅ１、Ｓｌｉｃｅ２、及びＳｌｉｃｅ３の３つのネットワークスライスをサポートし、且つＳｌｉｃｅ１＜Ｓｌｉｃｅ３＜Ｓｌｉｃｅ２である場合、端末機器は、Ｓｌｉｃｅ１、Ｓｌｉｃｅ２及びＳｌｉｃｅ３からネットワーク機器が最優先で処理するネットワークスライスＳｌｉｃｅ１を選択でき、また、端末機器は、Ｓｌｉｃｅ１、Ｓｌｉｃｅ２及びＳｌｉｃｅ３から端末機器が最優先で処理するネットワークスライスＳｌｉｃｅ２を選択でき、また、端末機器は、Ｓｌｉｃｅ１、Ｓｌｉｃｅ２及びＳｌｉｃｅ３からネットワーク機器が優先的に処理する最初の２つのネットワークスライスＳｌｉｃｅ１及びＳｌｉｃｅ２を選択でき、また、端末機器は、Ｓｌｉｃｅ１、Ｓｌｉｃｅ２及びＳｌｉｃｅ３から端末機器が優先的に処理する最初の２つのネットワークスライスＳｌｉｃｅ２及びＳｌｉｃｅ３を選択でき、また、端末機器は、ネットワーク機器も優先的に処理し、端末機器も優先的に処理するＳｌｉｃｅ２を選択でき、端末機器は、ネットワーク機器が複数のネットワークスライスを処理する優先度、及び／又は端末機器が複数のネットワーク機器を処理する優先度に基づいてターゲットネットワークスライスを決定でき、ターゲットネットワークスライスは、１つであってもよいが、複数であってもよい。本発明は、これについて限定をしない。
【００６９】
本発明の実施例に係る第１の優先度情報及び第２の優先度情報は、ネットワーク機器及び／又は端末機器により事前構成されたものであってもよいが、ネットワーク機器及び／又は端末機器が一定期間内のトラフィック状態に応じて決定したものであってもよく、本発明の実施例では、優先度情報の決定方式について限定をしないことが理解されるべきである。
【００７０】
また、ここで、第１の優先度情報及び／又は第２の優先度情報は、ネットワークスライス特徴と関連付けられてもよく、例えば、ネットワークスライスの識別子及び優先度情報に基づき、対応するネットワークスライスの優先度を決定できる。例えば、機能１、機能２及び機能３をサポートするネットワークスライス識別子がＳｌｉｃｅ１であって、機能２、機能３及び機能４をサポートするネットワークスライス識別子がＳｌｉｃｅ２であり、機能１の優先度が機能２より高く、機能３より高く、機能４より高い場合、Ｓｌｉｃｅ１の優先度がＳｌｉｃｅ２の優先度より高いと決定できる。
【００７１】
また、ここで、第１の機器がサポートするネットワークスライスは、ターゲットネットワークスライスを含む一部のネットワークスライスを指してもよいが、第１の機器がサポートする全てのネットワークスライスを指してもよく、ここで、第２の機器がサポートするネットワークスライスは、ターゲットネットワークスライスを含む一部のネットワークスライスを指してもよいが、第２の機器がサポートする全てのネットワークスライスを指してもよいことが理解されるべきである。
【００７２】
選択的に、本発明の実施例では、前記ネットワークスライス情報は、前記第１の優先度情報を含み、前記第１の機器が第１の優先度情報を取得するステップは、前記第１の機器が前記ネットワークスライス情報から前記第１の優先度情報を取得するステップを含む。
【００７３】
選択的に、本発明の実施例では、前記端末機器が前記ターゲットネットワークスライスに基づき、前記ターゲットネットワークスライスが属するセルに常駐するステップは、前記端末機器が、前記ネットワーク機器が処理する前記ネットワーク機器がサポートするネットワークスライスのうち優先度の最も高いネットワークスライスと、前記端末機器が処理する前記ネットワーク機器がサポートするネットワークスライスのうち優先度の最も高いネットワークスライスとが同じであると決定した場合、前記ターゲットネットワークスライスに基づき、前記ターゲットネットワークスライスが属するセルに常駐するステップを含む。
【００７４】
選択的に、本発明の実施例では、前記ネットワークスライス情報は、前記端末機器が前記複数のネットワークスライスのうちの各ネットワークスライスにアクセスする確率をさらに含み、前記端末機器が前記ターゲットネットワークスライスに基づき、前記ネットワーク機器にアクセスするステップは、前記端末機器が、前記端末機器のトラフィックが前記ターゲットネットワークスライスにアクセスする確率に基づき、前記ネットワーク機器にアクセスするステップを含む。
【００７５】
選択的に、この方法２００は、前記アクセスネットワーク機器が、前記端末機器が送信したコアネットワーク機器により認証された前記第１の優先度情報を受信するステップ、及び／又は前記アクセスネットワーク機器は、前記第１の優先度情報が認証される必要があると決定した場合、前記第１の優先度情報をコアネットワーク機器に送信するステップと、前記アクセスネットワーク機器は、前記コアネットワーク機器が送信した前記優先度情報の確認メッセージを受信するステップと、をさらに含む。
【００７６】
具体的に、端末機器は、アクセス層又は非アクセス層のシグナリングを介して優先度情報をコアネットワーク機器に送信し、コアネットワーク機器が検証及び確認を完了した後、アクセスネットワーク機器にフィードバックできる。また、端末機器は、直接にアクセス層を介して優先度情報をアクセスネットワーク機器に送信し、アクセスネットワーク機器は、必要に応じて、コアネットワーク機器に転送して検証及び確認を行わせることができる。
【００７７】
図４は、本発明の実施例に係る無線通信の方法３００を示す概略ブロック図である。図４に示すように、この方法３００は、下記のステップを含む。
【００７８】
Ｓ３１０：第２の機器がネットワークスライス情報を決定し、前記ネットワークスライス情報は、複数のネットワークスライスを示すためのものである。
【００７９】
Ｓ３２０：前記第２の機器が第１の機器に前記ネットワークスライス情報を送信する。
【００８０】
選択的に、本発明の実施例では、前記方法は、前記第２の機器が前記第１の機器に第１の優先度情報を送信するステップをさらに含み、前記第１の優先度情報は、前記第２の機器が前記複数のネットワークスライスのうち前記第２の機器がサポートするネットワークスライスを処理する優先順位を示すためのものである。
【００８１】
選択的に、本発明の実施例では、前記第２の機器が端末機器であって、前記第１の機器がネットワーク機器であり、前記方法は、前記端末機器が前記端末機器のトラフィック要求に基づき、前記第１の優先度情報を更新するステップをさらに含む。
【００８２】
例えば、端末機器はＳｌｉｃｅ１、Ｓｌｉｃｅ２及びＳｌｉｃｅ３をサポートし、端末機器の現在のトラフィックが機能１であって、Ｓｌｉｃｅ１が機能１をサポートする限り、端末機器は、Ｓｌｉｃｅ１を優先的に選択してネットワーク機器にアクセスでき、端末機器の現在のトラフィックが機能２と更新されて、Ｓｌｉｃｅ２が機能２をサポートする限り、端末機器は、Ｓｌｉｃｅ２を優先的に選択してネットワーク機器にアクセスできる。
【００８３】
選択的に、本発明の実施例では、前記第２の機器が端末機器であって、前記第１の機器がアクセスネットワーク機器であり、前記第２の機器が前記第１の機器に第１の優先度情報を送信するステップは、前記端末機器が前記アクセスネットワーク機器にコアネットワーク機器により認証された前記第１の優先度情報を送信するステップを含む。
【００８４】
上記の様々な例示は、単なる例示的な説明にすぎず、本発明の実施例の範囲に対して限定を構成しないことが理解されるべきである。
【００８５】
以下、２つの実施例を挙げて、本発明の実施例に係るネットワークスライス優先度及びその使用について詳細に説明する。
【００８６】
実施例１：セルネットワークスライス優先度及び使用
セル内の不同なネットワークスライス能力を有する端末のアクセス問題を解決するために、ネットワーク機器は、端末にスライス優先度をブロードキャスト送信し、セルが優先的にアクセス及び処理するスライス能力を表記し、スライス能力１を有する端末が優先的にセル１に常駐するような端末の常駐優先度を含み、端末がアクセス時に一定の確率に従ってアクセスを発信するような端末スライスアクセス確率をさらに含んでもよく、端末は、不同なスライス能力を使用してアクセスを行う際に、自身が有するスライス能力に従って対応するネットワークスライスリソースを優先的に選択してアクセスを行うことができる。
【００８７】
アイドル状態動作：端末の初期常駐時に、端末は、第１のアクセス可能なセルを選択して常駐を行い、それとともに、セルが送信したスライス情報（スライス識別子、スライス優先度（Ｓｌｉｃｅ  Ｐｒｉｏｒｉｔｙ）を含む）等を受信する。このセルが送信したスライス優先度と端末が有するスライス機能とがマッチングされない場合（例えば、セルスライス優先度が拡張されたモバイルブロードバンドトラフィックを優先的に処理するものであり、端末スライス優先度が大容量低消費電力の接続トラフィックを優先的に処理するものである）、再選択の方式により他のセルを選択して常駐を行う。このとき、アクセスされたセルは隣接するセルのスライス情報を送信して、端末の再選択を容易にさせることができる。
【００８８】
接続状態動作：端末が何らかのスライスの初期アクセスを発信した場合、スライス情報に含まれる対応するスライスのアクセス確率等の情報に従ってアクセスを行うことができる。端末が開始しようとする機能が複数のスライスにより完成されることができる場合（例えば、パケット伝送が拡張されたモバイルブロードバンドによっても完成されることができ、大容量低消費電力の接続によっても完成されることができる場合）、対応する優先度が最も高いスライスを選択してこのアクセスを完了する。
【００８９】
実施例２：端末の端末スライス優先度及び使用
端末は、自身の能力及び／又はトラフィック要求に従って対応するスライス優先度を開始し、この優先度に従ってアイドル状態ネットワーク常駐を行い、接続状態の場合、ネットワークにこの優先度情報を通知することにより、ネットワークがこの端末向けのハンドオーバを行うことを助けることができる。
【００９０】
アイドル状態動作：端末がアイドル状態で常駐を行う場合、複数のセルが有するネットワークスライス機能、及び自身の端末スライス機能優先度を考慮して、好ましくは、優先度の高いスライス機能が属するセルを選択して常駐する。例えば、ネットワークセルＡがスライス１、２をサポートし、ネットワークセルＢがスライス２、３をサポートし、端末がスライス１、２をサポートし、且つスライス１が高い優先度を有する場合、端末は、優先的にネットワークセルＡに常駐するが、端末がスライス２のみをサポートする場合には、セルＡ又はセルＢのどちらに常駐してもよい。
【００９１】
接続状態動作：端末が接続状態でハンドオーバを行う場合、ネットワークは、端末が報告したスライス機能優先度に従って、好ましくは、優先度の高いスライス機能が属するセルを選択してハンドオーバを行う。例えば、ネットワークセルＡ及びＢがいずれもハンドオーバするターゲットセルであり、ここで、ネットワークセルＡがスライス１、２をサポートし、ネットワークセルＢがスライス２、３をサポートし、端末がスライス１、３をサポートし、且つスライス１が高い優先度を有する場合、ネットワークは、優先的に端末をネットワークセルＡへハンドオーバするが、端末がスライス２のみをサポートする場合には、セルＡ又はセルＢのどちらへハンドオーバしてもよい。
【００９２】
したがって、本発明の実施例に係る無線通信の方法は、相手端に不同なネットワークスライスの情報及び不同なネットワークスライスに対する処理優先度を通知することにより、端末は最適なアクセスポイントを選択してアクセスを行うことができ、また、ネットワークは端末が様々なスライス機能をサポートするときのスライス優先度を把握でき、これにより、端末の常駐、アクセス及びハンドオーバ行動によりよくマッチングされることができ、端末ユーザの体験を向上させる。
【００９３】
また、上記の各方法の実施例では、端末機器側のステップは、端末機器側の無線通信の方法として個別に実現されることができ、ネットワーク機器側のステップは、ネットワーク機器側の無線通信の方法として個別に実現されることができ、上記の各方法の実施例では、ネットワーク機器は一般的に基地局であり、端末機器は一般的にユーザ機器である。
【００９４】
ネットワーク機器側で説明されたネットワーク機器と端末機器とのインタラクション及び関連特性、機能等は、端末機器側の関連特性、機能に対応しており、簡潔にするために、ここで詳細な説明を省略することが理解されるべきである。
【００９５】
また、本発明の各実施例では、上記の各フローの番号の大きさは、実行する前後順序を意味するものではなく、各フローの実行順序は、その機能及び内部論理により決定されるべきであり、本発明の実施例に係る実施フローに対していずれかの限定を構成しないことが理解されるべきである。
【００９６】
以上、本発明の実施例に係る無線通信の方法を詳細に説明しており、以下は、図５乃至図８に関連して、本発明の実施例に係る無線通信の装置を説明し、方法の実施例で説明された技術的特徴は下記の装置の実施例に適用される。
【００９７】
図５は、本発明の実施例に係る無線通信の機器４００を示している。図５に示すように、この機器は第１の機器であり、この機器４００は、受信ユニット４１０、決定ユニット４２０、及び通信ユニット４３０を備える。
【００９８】
受信ユニット４１０は、第２の機器が送信したネットワークスライス情報を受信するように構成され、前記ネットワークスライス情報は、複数のネットワークスライスを示すためのものである。
【００９９】
決定ユニット４２０は、前記ネットワークスライス情報に基づき、前記複数のネットワークスライスからターゲットネットワークスライスを決定するように構成され、前記ターゲットネットワークスライスは、前記第１の機器がサポートする少なくとも１つのネットワークスライスを含む。
【０１００】
通信ユニット４３０は、前記ターゲットネットワークスライスに基づき、無線通信を行うように構成される。
【０１０１】
したがって、本発明の実施例に係る無線通信の機器は、相手端のネットワークスライス情報を把握することにより、相手端により送信された複数のネットワークスライスの状況を把握でき、これにより、ターゲットネットワークスライスをよりよく選択して無線通信を行うことができ、さらに無線通信の品質を向上できる。
【０１０２】
選択的に、本発明の実施例では、前記機器は、取得ユニット４４０をさらに備える。
【０１０３】
取得ユニット４４０は、第１の優先度情報及び／又は第２の優先度情報を取得するように構成され、前記第１の優先度情報は、前記第２の機器が前記複数のネットワークスライスのうち前記第２の機器がサポートするネットワークスライスを処理する優先順位を示すためのものであり、前記第２の優先度情報は、前記第１の機器が前記第１の機器がサポートするネットワークスライスを処理する優先順位を示すためのものである。
【０１０４】
前記決定ユニット４２０は、具体的に、
前記第１の優先度情報及び／又は前記第２の優先度情報に基づき、前記複数のネットワークスライスから前記ターゲットネットワークスライスを決定するように構成される。
【０１０５】
選択的に、本発明の実施例では、前記ネットワークスライス情報は、前記第１の優先度情報を含み、前記取得ユニット４４０が第１の優先度情報を取得することは、
前記ネットワークスライス情報から前記第１の優先度情報を取得することを含む。
【０１０６】
選択的に、本発明の実施例では、前記第１の機器が端末機器であって、前記第２の機器がネットワーク機器であり、前記通信ユニット４３０は、具体的に、
前記ターゲットネットワークスライスに基づき、前記ネットワーク機器にアクセスする、及び／又は
前記ターゲットネットワークスライスに基づき、前記ターゲットネットワークスライスが属するセルに常駐するように構成される。
【０１０７】
選択的に、本発明の実施例では、前記第１の機器がネットワーク機器であって、前記第２の機器が端末機器であり、前記通信ユニット４３０は、具体的に、
前記ターゲットネットワークスライスに基づき、前記端末機器に対してリソース構成を行う、及び／又は
前記ターゲットネットワークスライスに基づき、前記端末機器を前記ターゲットネットワークスライスが属するセルへハンドオーバ又はリダイレクトするように構成される。
【０１０８】
選択的に、本発明の実施例では、前記通信ユニット４３０が前記ターゲットネットワークスライスに基づき、前記ターゲットネットワークスライスが属するセルに常駐することは、
前記ネットワーク機器が処理する前記ネットワーク機器がサポートするネットワークスライスのうち優先度の最も高いネットワークスライスと、前記端末機器が処理する前記端末機器がサポートするネットワークスライスのうち優先度の最も高いネットワークスライスとが同じであると決定した場合、前記ターゲットネットワークスライスに基づき、前記ターゲットネットワークスライスが属するセルに常駐することを含む。
【０１０９】
選択的に、本発明の実施例では、前記ネットワークスライス情報は、前記端末機器が前記複数のネットワークスライスのうちの各ネットワークスライスにアクセスする確率をさらに含み、前記通信ユニット４４０が前記ターゲットネットワークスライスに基づき、前記ネットワーク機器にアクセスすることは、
前記端末機器のトラフィックが前記ターゲットネットワークスライスにアクセスする確率に基づき、前記ネットワーク機器にアクセスすることを含む。
【０１１０】
選択的に、本発明の実施例では、前記第１の機器がアクセスネットワーク機器であって、前記第２の機器が端末機器であり、前記取得ユニット４４０が第１の優先度情報を取得することは、
前記端末機器が送信したコアネットワーク機器により認証された前記第１の優先度情報を受信することを含む。
【０１１１】
選択的に、本発明の実施例では、前記第１の機器がアクセスネットワーク機器であって、前記第２の機器が端末機器であり、前記機器は、送信ユニット４５０をさらに備える。
【０１１２】
送信ユニット４５０は、前記第１の優先度情報が認証される必要があると決定した場合、前記第１の優先度情報をコアネットワーク機器に送信するように構成される。
【０１１３】
前記受信ユニット４１０は、また、
前記コアネットワーク機器が送信した前記優先度情報の確認メッセージを受信するように構成される。
【０１１４】
したがって、本発明の実施例に係る無線通信の機器は、相手端に不同なネットワークスライスの情報及び不同なネットワークスライスに対する処理優先度を通知することにより、端末は最適なアクセスポイントを選択してアクセスを行うことができ、また、ネットワークは端末が様々なスライス機能をサポートするときのスライス優先度を把握でき、これにより、端末の常駐、アクセス及びハンドオーバ行動によりよくマッチングされることができ、端末ユーザの体験を向上させる。
【０１１５】
本発明の実施例に係る無線通信の機器４００は、本発明の方法の実施例における第１の機器に対応でき、また、機器４００における各ユニットの上記の及び他の動作及び／又は機能のそれぞれは、図２乃至図４に係る方法の対応するフローを実現するために使用され、簡潔にするために、ここで詳細な説明を省略することが理解されるべきである。
【０１１６】
図６は、本発明の実施例に係る無線通信の機器５００を示している。図６に示すように、この機器は第２の機器であり、この機器５００は、決定ユニット５１０及び送信ユニット５２０を備える。
【０１１７】
決定ユニット５１０は、ネットワークスライス情報を決定するように構成され、前記ネットワークスライス情報は、複数のネットワークスライスを示すためのものである。
【０１１８】
送信ユニット５２０は、第１の機器に前記ネットワークスライス情報を送信するように構成される。
【０１１９】
したがって、本発明の実施例に係る無線通信の機器は、相手端のネットワークスライス情報を把握することにより、相手端により送信された複数のネットワークスライスの状況を把握でき、これにより、ターゲットネットワークスライスをよりよく選択して無線通信を行うことができ、さらに無線通信の品質を向上できる。
【０１２０】
選択的に、本発明の実施例では、前記送信ユニット５２０は、また、
前記第１の機器に第１の優先度情報を送信するように構成され、前記第１の優先度情報は、前記第２の機器が前記複数のネットワークスライスのうち前記第２の機器がサポートするネットワークスライスを処理する優先順位を示すためのものである。
【０１２１】
選択的に、本発明の実施例では、前記第２の機器が端末機器であって、前記第１の機器がネットワーク機器であり、前記機器は、更新ユニット５３０をさらに備える。
【０１２２】
更新ユニット５３０は、前記端末機器のトラフィック要求に基づき、前記第１の優先度情報を更新するように構成される。
【０１２３】
選択的に、本発明の実施例では、前記第２の機器が端末機器であって、前記第１の機器がアクセスネットワーク機器であり、前記送信ユニット５２０が前記第１の機器に第１の優先度情報を送信することは、
前記アクセスネットワーク機器にコアネットワーク機器により認証された前記第１の優先度情報を送信することを含む。
【０１２４】
したがって、本発明の実施例に係る無線通信の機器は、相手端に不同なネットワークスライスの情報及び不同なネットワークスライスに対する処理優先度を通知することにより、端末は最適なアクセスポイントを選択してアクセスを行うことができ、また、ネットワークは端末が様々なスライス機能をサポートするときのスライス優先度を把握でき、これにより、端末の常駐、アクセス及びハンドオーバ行動によりよくマッチングされることができ、端末ユーザの体験を向上させる。
【０１２５】
本発明の実施例に係る無線通信の機器５００は、本発明の方法の実施例における第２の機器に対応でき、また、機器５００における各ユニットの上記の及び他の動作及び／又は機能のそれぞれは、図２乃至図４に係る方法の対応するフローを実現するために使用され、簡潔にするために、ここで詳細な説明を省略することが理解されるべきである。
【０１２６】
図７に示すように、本発明の実施例によれば、無線通信の機器６００がさらに提供され、この機器６００は第１の機器であり、この機器６００は、プロセッサー６１０、メモリ６２０、バスシステム６３０及び送受信機６４０を備え、ここで、このプロセッサー６１０、このメモリ６２０及びこの送受信機６４０はこのバスシステム６３０を介して互いに接続され、このメモリ６２０は命令を記憶するように構成され、このプロセッサー６１０はこのメモリ６２０に記憶された命令を実行して、この送受信機６４０が信号を送信するように制御するように構成され、ここで、このプロセッサー６１０は、第２の機器が送信したネットワークスライス情報を受信し、前記ネットワークスライス情報は、複数のネットワークスライスを示すためのものであり、前記ネットワークスライス情報に基づき、前記複数のネットワークスライスからターゲットネットワークスライスを決定し、前記ターゲットネットワークスライスは、前記第１の機器がサポートする少なくとも１つのネットワークスライスを含み、前記ターゲットネットワークスライスに基づき、無線通信を行うように構成される。
【０１２７】
したがって、本発明の実施例に係る無線通信の機器は、相手端のネットワークスライス情報を把握することにより、相手端により送信された複数のネットワークスライスの状況を把握でき、これにより、ターゲットネットワークスライスをよりよく選択して無線通信を行うことができ、さらに無線通信の品質を向上できる。
【０１２８】
本発明の実施例では、このプロセッサー６１０は中央処理装置（Ｃｅｎｔｒａｌ  Ｐｒｏｃｅｓｓｉｎｇ  Ｕｎｉｔ、単に「ＣＰＵ」と称する）であってもよく、このプロセッサー６１０はまた、他の汎用プロセッサー、デジタル信号プロセッサー（ＤＳＰ）、特定用途向け集積回路（ＡＳＩＣ）、フィールドプログラマブルゲートアレイ（ＦＰＧＡ）又は他のプログラマブル論理デバイス、個別ゲート又はトランジスタ論理デバイス、個別ハードウェアコンポーネント等であってもよいことが理解されるべきである。汎用プロセッサーはマイクロプロセッサーであってもよいが、又は、このプロセッサーはまた、いずれかの通常のプロセッサー等であってもよい。
【０１２９】
このメモリ６２０は、読み取り専用メモリ及びランダムアクセスメモリを含んでもよく、プロセッサー６１０に命令及びデータを提供する。メモリ６２０の一部は、また、不揮発性ランダムアクセスメモリを含んでもよい。例えば、メモリ６２０は、また機器タイプの情報を記憶してもよい。
【０１３０】
このバスシステム６３０は、データバス以外に、また、電源バス、制御バス及び状態信号バス等を含んでもよい。しかしながら、明確に説明するために、図面において様々なバスをバスシステム６３０として表記する。
【０１３１】
実現時に、上記の方法の各ステップは、プロセッサー６１０におけるハードウェアの集積論理回路又はソフトウェアの形の命令により完了されることができる。本発明の実施例に開示された方法のステップに関連して、直接にハードウェアプロセッサーにより実行されて完了し、又はプロセッサーにおけるハードウェア及びソフトウェアモジュールの組み合わせで実行して完了するように具現化されることができる。ソフトウェアモジュールは、ランダムアクセスメモリ、フラッシュメモリ、読み取り専用メモリ、プログラマブル読み取り専用メモリ又は電気的に消去可能なプログラマブルメモリ、レジスタ等の当技術分野で周知の記録媒体内に配置されてもよい。この記録媒体はメモリ６２０に配置され、プロセッサー６１０はメモリ６２０内の情報を読み取り、そのハードウェアと組み合わせて上記の方法のステップを完了する。重複を避けるために、ここで詳細な説明を省略する。
【０１３２】
本発明の実施例に係る無線通信の機器６００は、本発明の実施例における第１の機器及び機器４００に対応でき、本発明の実施例に係る方法における第１の機器に対応でき、また、機器６００における各ユニットの上記の及び他の動作及び／又は機能のそれぞれは、図２乃至図４に係る方法の対応するフローを実現するために使用され、簡潔にするために、ここで詳細な説明を省略することが理解されるべきである。
【０１３３】
図８に示すように、本発明の実施例によれば、無線通信の機器７００がさらに提供され、この機器７００は第１の機器であり、この機器７００は、プロセッサー７１０、メモリ７２０、バスシステム７３０及び送受信機７４０を備え、ここで、このプロセッサー７１０、このメモリ７２０及びこの送受信機７４０はこのバスシステム７３０を介して互いに接続され、このメモリ７２０は命令を記憶するように構成され、このプロセッサー７１０はこのメモリ７２０に記憶された命令を実行して、この送受信機７４０が信号を送信するように制御するように構成され、ここで、このプロセッサー７１０は、ネットワークスライス情報を決定し、前記ネットワークスライス情報は、複数のネットワークスライスを示すためのものであり、第１の機器に前記ネットワークスライス情報を送信するように構成される。
【０１３４】
したがって、本発明の実施例に係る無線通信の機器は、相手端のネットワークスライス情報を把握することにより、相手端により送信された複数のネットワークスライスの状況を把握でき、これにより、ターゲットネットワークスライスをよりよく選択して無線通信を行うことができ、さらに無線通信の品質を向上できる。
【０１３５】
本発明の実施例では、このプロセッサー７１０は中央処理装置（Ｃｅｎｔｒａｌ  Ｐｒｏｃｅｓｓｉｎｇ  Ｕｎｉｔ、単に「ＣＰＵ」と称する）であってもよく、このプロセッサー７１０はまた、他の汎用プロセッサー、デジタル信号プロセッサー（ＤＳＰ）、特定用途向け集積回路（ＡＳＩＣ）、フィールドプログラマブルゲートアレイ（ＦＰＧＡ）又は他のプログラマブル論理デバイス、個別ゲート又はトランジスタ論理デバイス、個別ハードウェアコンポーネント等であってもよいことが理解されるべきである。汎用プロセッサーはマイクロプロセッサーであってもよいが、又は、このプロセッサーはまた、いずれかの通常のプロセッサー等であってもよい。
【０１３６】
このメモリ７２０は、読み取り専用メモリ及びランダムアクセスメモリを含んでもよく、プロセッサー７１０に命令及びデータを提供する。メモリ７２０の一部は、また、不揮発性ランダムアクセスメモリを含んでもよい。例えば、メモリ７２０は、また機器タイプの情報を記憶してもよい。
【０１３７】
このバスシステム７３０は、データバス以外に、また、電源バス、制御バス及び状態信号バス等を含んでもよい。しかしながら、明確に説明するために、図面において様々なバスをバスシステム７３０として表記する。
【０１３８】
実現時に、上記の方法の各ステップは、プロセッサー７１０におけるハードウェアの集積論理回路又はソフトウェアの形の命令により完了されることができる。本発明の実施例に開示された方法のステップに関連して、直接にハードウェアプロセッサーにより実行されて完了し、又はプロセッサーにおけるハードウェア及びソフトウェアモジュールの組み合わせで実行して完了するように具現化されることができる。ソフトウェアモジュールは、ランダムアクセスメモリ、フラッシュメモリ、読み取り専用メモリ、プログラマブル読み取り専用メモリ又は電気的に消去可能なプログラマブルメモリ、レジスタ等の当技術分野で周知の記録媒体内に配置されてもよい。この記録媒体はメモリ７２０に配置され、プロセッサー７１０はメモリ７２０内の情報を読み取り、そのハードウェアと組み合わせて上記の方法のステップを完了する。重複を避けるために、ここで詳細な説明を省略する。
【０１３９】
本発明の実施例に係る無線通信の機器７００は、本発明の実施例における第２の機器及び機器５００に対応でき、本発明の実施例に係る方法における第２の機器に対応でき、また、機器７００における各ユニットの上記の及び他の動作及び／又は機能のそれぞれは、図２乃至図４に係る方法の対応するフローを実現するために使用され、簡潔にするために、ここで詳細な説明を省略することが理解されるべきである。
【０１４０】
本発明の実施例では、「Ａに対応するＢ」とは、ＢとＡとが関連付けられており、ＡによりＢを決定できることを表すことが理解されるべきである。また、ＡによりＢを決定することは、ＡのみによりＢを決定することを意味するものではなく、また、Ａ及び／又は他の情報によりＢを決定できることが理解されるべきである。
【０１４１】
本明細書における用語「及び／又は」は、関連するオブジェクトを説明する関連付けにすぎず、３つの関係が存在できることを表し、例えば、Ａ及び／又はＢは、Ａが単独に存在し、Ａ及びＢが同時に存在し、Ｂが単独に存在する３つの場合を表すことが理解されるべきである。また、本明細書における符号「／」は、一般的に前後関連するオブジェクトの間が「又は」の関係であることを表す。
【０１４２】
本発明の各実施例では、上記の各フローの番号の大きさは、実行する前後順序を意味するものではなく、各フローの実行順序は、その機能及び内部論理により決定されるべきであり、本発明の実施例に係る実施フローに対していずれかの限定を構成しないことが理解されるべきである。
【０１４３】
当業者であれば、本明細書に開示された実施例に関連して説明された各例のユニット及びアルゴリズムステップが、電子ハードウェア、又はコンピュータソフトウェア及び電子ハードウェアの組み合わせで実現できることが認識される。これらの機能がハードウェアで実行されるかソフトウェアで実行されるかは、技術手段の特定のアプリケーション及び設計上の制約条件によって異なる。当業者であれば、特定の用途ごとに不同な方法を使用して記載された機能を実現できるが、このような実現が本発明の範囲を超えると考慮されるべきではない。
【０１４４】
当業者であれば、説明の便宜及び簡潔さのために、上述のシステム、装置及びユニットの具体的な作業プロセスは、前述の方法の実施例に係る対応するプロセスを参照することができ、ここで詳細な説明を省略することを理解することができる。
【０１４５】
本発明に提供された幾つかの実施例において、開示されたシステム、装置及び方法は、他の方式で実現されてもよいことが理解されるべきである。例えば、上述のような装置の実施例は、単なる例にすぎず、例えば、前記ユニットの区分は、単なる論理的な機能による区分であり、実際に実現するときは他の区分方式であってもよく、例えば、複数のユニット又はコンポーネントが組み合わされるか又は別のシステムに集積されてもよく、或いは幾つかの特徴が省略され又は実行されなくてもよい。一方、示された又は解説された相互間の結合又は直接的な結合又は通信接続は、幾つかのインターフェイス、装置又はユニットによる間接的な結合又は通信接続であってもよく、電気的、機械的又は他の形態であってもよい。
【０１４６】
前記分離部材として説明されたユニットは、物理的に分離されてもよく、物理的に分離されなくてもよく、ユニットとして示された部材は、物理的なユニットであってもよく、物理的なユニットでなくてもよく、同じところに位置してもよく、複数のネットワークユニット上に分散されてもよい。実際の需要に応じて、一部又は全部のユニットを選択し、本実施例の目的を実現することができる。
【０１４７】
なお、本発明の各実施例に係る各機能ユニットは、１つの処理モジュールに集積されていてもよく、各ユニットが単独に物理的に存在していてもよく、２つ又は２つ以上のユニットが１つのユニットに集積されていてもよい。
【０１４８】
前記機能がソフトウェア機能ユニットの形で実現され、且つ独立した製品として販売又は使用される場合には、１つのコンピュータ読み取り可能な記録媒体に記憶されることができる。このような理解に基づき、本発明の技術手段は本質的に、従来技術に貢献した部分又はこの技術手段の一部がソフトウェアプロダクトの状態で具現化されることができ、このコンピュータソフトウェアプロダクトは、１つの記録媒体に記憶され、１台のコンピュータ機器（パーソナルコンピュータ、サーバ、又はネットワーク機器等であってもよい）に本発明の各実施例に記載の方法のステップの全部又は一部を実行させる命令を若干備える。ここで、前述の記録媒体は、ＵＳＢメモリ、モバイルハードディスク、読み取り専用メモリ（Ｒｅａｄ  Ｏｎｌｙ  Ｍｅｍｏｒｙ，ＲＯＭ）、ランダムアクセスメモリ（Ｒａｎｄｏｍ  Ａｃｃｅｓｓ  Ｍｅｍｏｒｙ，ＲＡＭ）、磁気ディスク、又は光ディスク等のプログラムコードを記憶可能な様々な媒体を含む。
【０１４９】
以上は、本発明の具体的な実施形態にすぎず、本発明の範囲はこれらに限定されない。この技術分野の当業者であれば、いずれも本発明に提示された技術範囲内で、変更又は置き換えを行うことを容易に想到し得るものがいずれも本発明の範囲に含まれる。したがって、本発明の範囲は、特許請求の範囲により示される。
【図１】
0006951437.tif 000002
【図２】
0006951437.tif 000003
【図３】
0006951437.tif 000004
【図４】
0006951437.tif 000005
【図５】
0006951437.tif 000006
【図６】
0006951437.tif 000007
【図７】
0006951437.tif 000008
【図８】
0006951437.tif 000009